(57)【要約】【課題】記録装置におけるＣＤへ印刷を行う時の操作性の向上。【解決手段】ＣＤトレイへ大きさ又は種類の異なる被記録媒体を少なくとも２種類以上装着することができる。【選択図】        図１
2004247007.tif 000002
【特許請求の範囲】
【請求項１】
被記録媒体へ記録を行う記録ヘッドと、記録装置に通常使用するものとは形態の異なる被記録媒体を保持する保持手段とを有し、該保持手段は大きさ又は種類の異なる前記被記録媒体を少なくとも２種類以上装着することができることを特徴とする記録装置。
【請求項２】
前記保持手段は薄板形状部材であって、前記被記録媒体は前記保持手段の一方面に装着することができることを特徴とする請求項１に記載の記録装置。
【請求項３】
前記保持手段は薄板形状部材であって、前記被記録媒体は前記保持手段の両方面に装着することができることを特徴とする請求項１に記載の記録装置。
【請求項４】
前記保持手段の一方面と他方面とでは異なる大きさ又は種類の前記被記録媒体を装着することができることを特徴とする請求項１に記載の記録装置。
【請求項５】
前記被記録媒体は光記録媒体であることを特徴とする請求項１から請求項４のいずれかの１項に記載の記録装置。
【請求項６】
前記大きさの異なる被記録媒体とは１２ｃｍコンパクトディスクと８ｃｍコンパクトディスクであることを特徴とする請求項１又は請求項４に記載の記録装置。
【請求項７】
前記大きさの異なる被記録媒体とは１２ｃｍコンパクトディスクとカード型光記録媒体又は８ｃｍコンパクトディスクとカード型光記録媒体であることを特徴とする請求項１又は請求項４に記載の記録装置。
【請求項８】
前記記録ヘッドはインクの飛翔液滴を吐出する吐出口をもったインクジェットヘッドであることを特徴とする請求項１に記載の記録装置。
【請求項９】
前記記録ヘッドは熱エネルギーを用いてインクを吐出して記録を行うヘッドであって、インクに与える熱エネルギーを発生するための電気熱エネルギー変換体を備えていることを特徴とする請求項８に記載の記録装置。
【発明の詳細な説明】
【０００１】
【発明の属する技術分野】
本発明は記録装置において、光記録媒体への印刷に関するものである。
【０００２】
【従来の技術】
ここではインクジェット方式による記録装置を従来例として説明する。
【０００３】
一般にインクジェット記録装置は、記録ヘッドから被記録媒体にインクを吐出して記録を行うものであり、記録ヘッドのコンパクト化が容易であり、高精細な画像を高速で記録することができ、ランニングコストが安く、ノンインパクト方式であるため騒音が少なく、しかも、多色のインクを使用してカラー画像を記録するのが容易であるなどの利点があり、急速に普及が拡大している。
【０００４】
また、記録用インクや被記録材料の開発が進み、特に被記録材料としても普通紙以外に光沢紙、光沢フィルムや円盤状の媒体への記録、例えばＣＤ（コンパクトディスク）表面への文字や図柄のプリント等の要求が高まってきている。
【０００５】
ＣＤに記録内容を明示するためのタイトルやメモを記載する方法として非記録面にラベルシールを貼る方法が一般的である。
【０００６】
また、最近ではサインペンやフェルトペン等で直接記載できるように印字領域が形成されたものもある。
【０００７】
また、ＣＤにおいては印刷領域に記載したい内容をパーソナルコンピュータを用いて印刷する装置が知られており、特に最近ではパーソナル向けのインクジェットプリンタにおいてもプリンタ本体に脱着可能にＣＤ印刷ユニットが付属品として設定されたものもある。
【０００８】
このような装置においては、被記録媒体であるＣＤを保持部材へ装填し、プリンタ本体へ装着された支持部材の案内部に保持部材を挿入し所定位置へセットした後、保持部材は搬送ローラー対によって挟持されて搬送され記録ヘッドによって印刷を行うものである。
【０００９】
【発明が解決しようとする課題】
上述従来例に示す装置において、保持部材は樹脂製の薄板形状の部材であり、ＣＤを装填するために一方面には後述の直径１２ｃｍＣＤよりもやや大きい円形状の凹部が設けられ、凹部の中心にはＣＤの中心穴と嵌合して位置決めを行う凸部が設けられている。
【００１０】
一般的にＣＤには直径１２ｃｍと８ｃｍとが有るが、その両者において保持部材へ装填する際にはＣＤの中心穴を保持部材の凸部に嵌合させ、凹部である同一装填部へ装填する。
【００１１】
８ｃｍＣＤ使用で凹部へ装填した際には８ｃｍＣＤの外周に１２ｃｍＣＤ用の凹部との差である段差が発生しまい、保持部材を搬送する際に搬送ローラーに圧接する圧接ローラーが段差部へ落ち込んだり、段差部からＣＤへ乗り上げたりすることによって保持部材の挙動が変わり搬送精度を著しく悪くしてしまったり、圧接ローラーに無理な力が掛かって圧接ローラーが破損したりしてしまうため、段差部にＣＤと略同一厚さのドーナッツ形状のアダプタを取付けて段差を解消するようにしている。
【００１２】
このように従来の装置は８ｃｍＣＤ使用時はアダプタを用いて所定位置にセットしてから印刷を行うものであったため、手間の掛かってしまう操作性に優れない装置であった。
【００１３】
また、１２ｃｍＣＤ使用時はアダプタを使用しないことからアダプタを紛失してしまうことがあるものでもあった。
【００１４】
本発明は、以上の点に着目して成されたもので、ＣＤへ印刷を行う時の操作性の向上を目的とする記録装置を提供する。
【００１５】
【課題を解決するための手段】
本発明は被記録媒体であるＣＤへ印刷を行う時の操作性を優れたものとすることを目的とし、被記録媒体へ記録を行う記録ヘッドと、記録装置に通常使用するものとは形態の異なる被記録媒体を保持する保持手段とを有し、保持手段は大きさ又は種類の異なる被記録媒体を少なくとも２種類以上装着することができるようにしたものである。
【００１６】
また、保持手段は薄板形状部材であって、被記録媒体は保持手段の一方面に装着することができるようにしたものである。
【００１７】
また、保持手段は薄板形状部材であって、被記録媒体は保持手段の両方面に装着することができるようにしたものである。
【００１８】
また、保持手段の一方面と他方面とでは異なる大きさ又は種類の被記録媒体を装着することができるようにしたものである。
【００１９】
また、被記録媒体は光記録媒体であるようにしたものである。
【００２０】
また、大きさの異なる被記録媒体とは１２ｃｍコンパクトディスクと８ｃｍコンパクトディスクであるようにしたものである。
【００２１】
また、大きさの異なる被記録媒体とは１２ｃｍコンパクトディスクとカード型光記録媒体又は８ｃｍコンパクトディスクとカード型光記録媒体であるようにしたものである。
【００２２】
また、記録ヘッドはインクの飛翔液滴を吐出する吐出口をもったインクジェットヘッドであるようにしたものである。
【００２３】
また、記録ヘッドは熱エネルギーを用いてインクを吐出して記録を行うヘッドであって、インクに与える熱エネルギーを発生するための電気熱エネルギー変換体を備えているようにしたものである。
【００２４】
なお、さらに詳細に説明すれば、本発明は下記の構成によって前記課題を解決できた。
【００２５】
（１）被記録媒体へ記録を行う記録ヘッドと、記録装置に通常使用するものとは形態の異なる被記録媒体を保持する保持手段とを有し、該保持手段は大きさ又は種類の異なる前記被記録媒体を少なくとも２種類以上装着することができることを特徴とする記録装置。
【００２６】
（２）前記保持手段は薄板形状部材であって、前記被記録媒体は前記保持手段の一方面に装着することができることを特徴とする前記（１）に記載の記録装置。
【００２７】
（３）前記保持手段は薄板形状部材であって、前記被記録媒体は前記保持手段の両方面に装着することができることを特徴とする前記（１）に記載の記録装置。
【００２８】
（４）前記保持手段の一方面と他方面とでは異なる大きさ又は種類の前記被記録媒体を装着することができることを特徴とする前記（１）に記載の記録装置。
【００２９】
（５）前記被記録媒体は光記録媒体であることを特徴とする前記（１）から（４）のいずれかの１項に記載の記録装置。
【００３０】
（６）前記大きさの異なる被記録媒体とは１２ｃｍコンパクトディスクと８ｃｍコンパクトディスクであることを特徴とする前記（１）又は（４）に記載の記録装置。
【００３１】
（７）前記大きさの異なる被記録媒体とは１２ｃｍコンパクトディスクとカード型光記録媒体又は８ｃｍコンパクトディスクとカード型光記録媒体であることを特徴とする前記（１）又は（４）に記載の記録装置。
【００３２】
（８）前記記録ヘッドはインクの飛翔液滴を吐出する吐出口をもったインクジェットヘッドであることを特徴とする前記（１）に記載の記録装置。
【００３３】
（９）前記記録ヘッドは熱エネルギーを用いてインクを吐出して記録を行うヘッドであって、インクに与える熱エネルギーを発生するための電気熱エネルギー変換体を備えていることを特徴とする前記（８）に記載の記録装置。
【００３４】
【発明の実施の形態】
本発明の実施例１を図１、図２を用いて説明する。自動給紙装置を有した記録装置１は、給紙部２、送紙部３、排紙部４、キャリッジ部５、クリーニング部６から構成されている。そこで、これらを項目に分けて概略を順次述べていく。なお、図１は記録装置１の全体構成を示す斜視図、図２は記録装置１の側面からの構成断面図で、図１、２を用いて（Ｉ）給紙部、（ＩＩ）送紙部、（ＩＩＩ）キャリッジ部、（ＩＶ）クリーニング部、（Ｖ）排紙部の説明をする。
【００３５】
（Ｉ）給紙部
給紙部２は記録紙Ｐを積載する圧板２１と記録紙Ｐを給紙する給送回転体２２がベース２０に取り付けられる構成となっている。圧板２１には可動サイドガイド２３が移動可能に設けられて、記録紙Ｐの積載位置を規制している。圧板２１はベース２０に結合された回転軸ａを中心に回転可能で、圧板バネ２４により給送回転体２２に付勢される。給送回転体２２と対向する圧板２１の部位には、記録紙Ｐの重送を防止する人工皮等の摩擦係数の大きい材質からなる分離パッド２５が設けられている。さらに、ベースには、記録紙Ｐの一方向の角部を覆い、記録紙Ｐを一枚ずつ分離するための分離爪２６、厚紙等分離爪２６が使えないものを分離するためにベース２０に一体形成された土手部２７、普通紙ポジションでは分離爪２６が作用し、厚紙ポジションでは分離爪２６が作用しないように切り換えるための切り替えレバー２８、圧板２１と給送回転体２２の当接を解除するリリースカム２９、が設けられている。
【００３６】
上記構成において、待機状態ではリリースカム２９が圧板２１を所定位置まで押し下げている。これにより、圧板２１と給送回転体２２の当接は解除される。
そして、この状態で搬送ローラー３６の有する駆動力が、ギア等により給送回転体２２及びリリースカム２９に伝達されると、リリースカム２９は圧板２１から離れるので圧板２１は上昇し、給送回転体２２と記録紙Ｐが当接し、給送回転体２２の回転に伴い記録紙Ｐはピックアップされ給紙を開始し、分離爪２６によって一枚ずつ分離されて送紙部３に送られる。給送回転体２２及びリリースカム２９とは記録紙Ｐを送紙部３に送り込むまで回転し、再び記録紙Ｐと給送回転体２２との当接を解除した待機状態となって搬送ローラー３６からの駆動力が切られる。
【００３７】
（ＩＩ）送紙部
送紙部３は記録紙Ｐを搬送する搬送ローラー３６とＰＥセンサー３２を有している。搬送ローラー３６には従動するピンチローラー３７が当接して設けられている。
【００３８】
ピンチローラー３７はピンチローラーガイド３０に回動可能に保持され、ピンチローラーガイド３０をピンチローラーバネ３１で付勢することで、ピンチローラー３７を搬送ローラー３６に圧接させて記録紙Ｐの搬送力を生み出している。
さらに、記録紙Ｐが搬送されてくる送紙部３の入口には記録紙Ｐをガイドする上ガイド３３及びプラテン３４が配設されている。また、上ガイド３３には記録紙Ｐの先端、後端検出をＰＥセンサ−３２に伝えるＰＥセンサーレバー３５が設けられている。
【００３９】
上記構成において、送紙部３に送られた記録紙Ｐはプラテン３４、ピンチローラーガイド３０及び上ガイド３３に案内されて、搬送ローラー３６とピンチローラー３７とのローラー対に送られる。この時、ＰＥセンサーレバー３５で搬送されてきた記録紙Ｐの先端を検知して、これにより記録紙Ｐの印字位置を求めている。また、記録紙Ｐは不図示のＬＦモーターによりローラー対３６、３７が回転することでプラテン３４上を搬送される。
【００４０】
なお、記録ヘッド７はインクタンクが着脱可能に構成された交換容易なインクジェット記録ヘッドが用いられている。この記録ヘッド７は、ヒータ等によりインクに熱を与えることが可能となっている。そして、この熱によりインクは膜沸騰し、この膜沸騰による気泡の成長または収縮によって生じる圧力変化によって記録ヘッド７のノズル７０からインクが吐出されて記録紙Ｐ上に画像が形成される。
【００４１】
（ＩＩＩ）キャリッジ部
キャリッジ部５は、記録ヘッド７を取り付けるキャリッジ５０を有している。
そしてキャリッジ５０は、記録紙Ｐの搬送方向にたいして直交方向に往復走査させるためのガイド軸８１及びキャリッジ５０の後端を保持して記録ヘッド７と記録紙Ｐとの隙間を維持するガイドレール８２によって支持されている。なお、これらガイド軸８１及びガイドレール８２はシャーシー８に取り付けられている。
また、キャリッジ５０はシャーシー８に取り付けられたキャリッジモーター８０によりタイミングベルト８３を介して駆動される。このタイミングベルト８３は、アイドルプーリー８４によって張設、支持されている。さらに、キャリッジ５０には、電気基板９から記録ヘッド７ヘッド信号を伝えるためのフレキシブル基板５６を備えている。
【００４２】
上記構成において、記録紙Ｐに画像形成する時は、画像形成する行位置（記録紙Ｐの搬送方向の位置）にローラー対３６、３７が記録紙Ｐを搬送すると共にキャリッジモーター８０によりキャリッジ５０を画像形成する列位置（記録紙Ｐの搬送方向と直角な位置）に移動させて、記録ヘッド７を画像形成位置に対向させる。その後、電気基板９からの信号により記録ヘッド７が記録紙Ｐに向けてインクを吐出して画像が形成される。
【００４３】
また、キャリッジ５０への記録ヘッド７の着脱や、記録ヘッド７へのインクタンクの着脱は、不図示の操作キーを押すとキャリッジ５０が所定の位置へ移動し、その位置で各着脱操作を行うようになっている。
【００４４】
（ＩＶ）クリ−ニング部
クリーニング部６は、記録ヘッド７のクリーニングを行うポンプ６０と記録ヘッド７の乾燥を抑えるためのキャップ６１及び搬送ローラー３６からの駆動力を給紙部２及びポンプ６０にきり換える駆動切り替えアーム６２から構成されている。駆動切り替えアーム６２が給紙、クリーニング以外の時は、搬送ローラー３６の軸心を中心に回転する遊星ギア（不図示）を所定位置に固定しているので、給紙部２及びポンプ６０に駆動力は伝達されない。キャリッジ５０が移動することで、駆動切り替えアーム６２を矢印Ａ方向に移動させると、遊星ギアがフリーになるので搬送ローラー３６の正転、逆転に応じて遊星ギアが移動し、搬送ローラー３６が正転したときは給紙部２に駆動力が伝達され、逆転したときはポンプ６０に駆動力が伝達されるようになっている。
【００４５】
（Ｖ）排紙部
排紙部４には２本の排紙ローラー４１，４１Ａが設けられ、搬送ローラー３６と排紙ローラー４１に当設する伝達ローラー４０と排紙ローラー４１と排紙ローラー４１Ａに当設する伝達ローラー４０Ａが設けられている。従って、搬送ローラー３６の駆動力が伝達ローラー４０を介して排紙ローラー４１に伝達され、伝達ローラー４１Ａによって排紙ローラー４１Ａに伝達される。
【００４６】
また、排紙ローラー４１、４１Ａに従動して回転可能な如く拍車４２、４２Ａが排紙ローラー４１、４１Ａに当接され、拍車４２、４２Ａにはクリーニングローラー４４が回転可能に当接されている。以上の構成によって、キャリッジ部５で画像形成された記録紙Ｐは、排紙ローラー４１、４１Ａと拍車４２、４２ａとに挟まれ、搬送されて排紙トレイ１００に排出される。
【００４７】
次に本発明に係る形態の異なる被記録媒体であるＣＤ（コンパクトディスク）の搬送、記録に関する構成及び動作を図３〜図１４を用いて説明する。
【００４８】
図３はプリンタ本体にＣＤユニット１０１を取付けた状態、図４は記録媒体であるＣＤをセットした状態、図５はプリンタ本体のＣＤユニット１０１との嵌合部を示す図、図６はＣＤユニットの側面図、図７はプリンタ本体にＣＤユニットが装着された側面からの断面図、図８はＣＤのセット状態を示す側面図、図９、図１０はＣＤのセット状態を示す斜視図、図１１は図１０においてＸ方向から見た断面図で、図１２はＣＤのセット状態を示す側面からの断面図、図１３はＣＤへの印刷開始状態を示す側面からの断面図、図１４はＣＤへの印刷終了時を示す上面図である。
【００４９】
尚、以下に説明する下ケース９９とトレイガイド１０３の嵌合部側面及びスライドカバー１０２の側面は左右同形状であり、フック１０４、アーム１０５はトレイガイド１０３の左右側面にそれぞれ取り付けられたものである。
【００５０】
図３、４において、ＣＤユニット１０１を図に記載の矢印Ｙ方向にまっすぐスライドさせると、後述の下ケース９９に装着される。
【００５１】
そして、スライドカバー１０２をプリンタ本体方向へ移動させると開口部１０２ａが現れ、ＣＤを装填したトレイ１０６を開口部１０２ａから挿入し、所定位置にセットし、プリント動作開始となる。
【００５２】
ここで、後述するが、スライドカバー１０２は斜め方向に移動可能であり、スライドカバー１０２をプリンタ本体方向へ移動させない状態では、開口部１０２ａは閉ざされているため、トレイ１０６は挿入できないようになっている。
【００５３】
これは、後述の拍車ベース４３が上昇されていない状態でトレイ１０６が挿入された場合に、トレイ１０６と拍車４２Ａとが干渉してトレイ１０６先端のトレイシート１１２や拍車４２Ａが破損することを防止するためである。
【００５４】
また、後述するトレイガイド１０３の案内面にはリブ１０３ｆ１〜１０３ｆ５が設けられ、リブ１０３ｆ１〜１０３ｆ５でトレイ１０６を支持することでトレイ１０６との摺動面を限定し、摺動抵抗を減らすことで、搬送性の向上に寄与している。
【００５５】
図５において、下ケース９９には後述のトレイ１０６を支持する支持部材であるトレイガイド１０３に設けた嵌合溝１０３ａ（図６）と嵌合される突起部９９ａが設けられている。
【００５６】
図６、７において、トレイガイド１０３には軸１０３ｂと嵌合する穴１０４ａを有し、軸１０３ｂを中心に回動可能に軸支された樹脂製のフック１０４が設けられている。
【００５７】
フック１０４のトレイガイド１０３への取付けは、側方から穴１０４ａと軸１０３ｂとが嵌合するように行うが、その際、フック１０４のフランジ部１０４ｆとトレイガイド１０３に設けた弾性リブ１０３ｇとが当接するが、弾性リブ１０３ｇの当接部１０３ｈはテーパー形状となっているため、フランジ部１０４ｆはテーパー面を滑りながら当接部１０３ｈは矢印ｃ方向に回動してフック１０４は所定位置に納まる。
【００５８】
そして、当接部１０３ｈは弾性力によって元の位置に戻った後はフランジ部１０４ｆと当接してフック１０４のスラスト方向抜け止めとなる。
【００５９】
フック１０４の一端には薄板形状部１０４ｃが設けられ、トレイガイド１０３に設けられた軸１０３ｃと当接して弾性力を発生しフック１０４の爪部１０４ｂを常に下ケース９９の突起部９９ａ側へ付勢している。
【００６０】
ＣＤユニット１０１をＹ方向へスライドさせるとフック１０４の爪部１０４ｂと突起部９９ａに設けられた切欠き部９９ｂとが嵌合して位置が決まる。
【００６１】
トレイガイド１０３の嵌合溝１０３ａは入口部１０３ａ１が幅広であり、斜面１０３ａ２が形成されるため、下ケース９９の突起部９９ａとの嵌合をスムーズに行うことができる。
【００６２】
また、フック１０４と突起９９ａとの嵌合時にフック１０４は突起９９ａの先端部９９ａ１と当接するが、傾斜部１０４ｅが設けられているため、フック１０４は矢印ａ方向へ回転しながら先端部９９ａ１を乗り越えた後、薄板形状部１０４ｃの弾性力によって爪部１０４ｂは切欠き部９９ｂと嵌合する。
【００６３】
そして、下ケースの先端部９９ａ１がトレイガイド当接面１０３ｉに当接してプリンタ本体へのＣＤユニット１０１のＹ方向の位置が決まる。
【００６４】
ここでフック１０４はポリアセタール等の潤滑性に優れた材質が好ましい。
【００６５】
トレイガイド１０３には案内溝１０３ｄが設けられ、案内溝１０３ｄを摺動するアーム１０５が揺動可能に具備されている。
【００６６】
アーム１０５にはボス１０５ｂが設けられ、ボス１０５ｂはスライドカバー１０２の裏側に設けられた溝部１０２ｄと嵌合している。
【００６７】
スライドカバー１０２にはトレイガイド１０３の案内溝１０３ｅと摺動嵌合するボス１０２ｂ、１０２ｃが設けられ、スライドカバーはボス１０２ｂ、１０２ｃと案内溝１０３ｅとで位置決めされて矢印ｂ方向へ移動可能となっている。
【００６８】
スライドカバー１０２は上述のアーム１０５が接続されているためスライドカバー１０２が矢印ｂ方向へ動作するのに連動してアーム１０５は水平方向へ動作するようになっている。
【００６９】
スライドカバー１０２をプリンタ本体方向へ移動させると、アーム１０５は同様にプリンタ本体方向へ突出し、プラテン３４と拍車４２、４２ａを回転可能に支持する拍車ベース４３との間に入り込み、拍車ベース４３を上昇させ、プラテン３４と拍車ベース４３との間にトレイ１０６が通過できるスペースを形成する。
【００７０】
この際、アーム１０５の先端に形成された傾斜部１０５ａによってアーム１０５はスムーズにプラテン３４と拍車ベース４３との間に入り込むことができる。
【００７１】
また、アーム１０５はプラテン３４と拍車ベース４３との間に入った状態で位置が決まるようになっており、トレイガイド１０３へ収納された状態ではトレイガイド１０３に対しガタを持った構成となっている。
【００７２】
図８〜１１において、トレイ１０６の先端部１０６ｅは搬送ローラー３６とピンチローラー３７とのニップ部に噛み込み易いようにテーパー形状となっており、且つマイラーシートやＰＥＴシート等の薄板形状のトレイシート１１２が具備されている。
【００７３】
また、トレイ１０６のＣＤ装填部中心１０６ａにはＣＤの中心部穴と嵌合するトレイ１０６と一体から成る弾性力をもった爪部１０６ｆ１、１０６ｆ２が２ヶ所設けられ、ＣＤの位置決めを行っている。
【００７４】
図１１において、ＣＤ装填部中心１０６ａの上流側及び下流側には傾斜面１０６ｊ１、１０６ｊ２が設けられ、誤ってＣＤを装填しないでトレイ１０６をセットしてしまった場合に、トレイ１０６が搬送されてピンチローラー３７がＣＤ装填部１０６ｉに落ち込んでから装填部中心１０６ａに乗り上げる時や、装填部中心１０６ａからＣＤ装填部１０６ｉへ降下する時にスムーズに行えるようになっている。
【００７５】
１０６ｂ、１０６ｃは、トレイ１０６からＣＤを取り外す際に指を掛けるための穴である。
【００７６】
１０６ｄは、トレイ１０６をセットする時に操作性を良くするための指掛け溝である。
【００７７】
１０７Ａ、１０７Ｂは、それぞれにコロ１０８Ａ、１０８Ｂを回転可能に軸支するコロホルダーであり、トレイ１０６を略均等に押圧するためにトレイ１０６の左右側端近傍で、搬送時にＣＤと当接しない位置に設けられている。
【００７８】
コロホルダー１０７Ａ、１０７Ｂは一端の両側に軸部１０７Ａａ、１０７Ｂａを有し、軸部１０７Ａａ、１０７Ｂａを中心に回動可能にスライドカバー１０２の軸受部１０２ｅに取付けられており、バネ１１１によって下方へ付勢されている。
【００７９】
１１０は、コロであり、トレイガイド１０３に回転可能に付けられ、不図示のバネによってトレイ１０６を左方へ付勢している（図１０）。
【００８０】
図８、１２は、ＣＤを装填したトレイ１０６をトレイガイド１０３の案内面に挿入して所定位置にセットした側面図であり、トレイ１０６の先端は排紙ローラー４１Ａと係合した位置となっている。
【００８１】
トレイ１０６は上述のバネ１１１の力でコロ１０８Ａ、１０８Ｂによって先端が排紙ローラー４１Ａへ付勢され、側方からコロ１１０によって一方向へ付勢され位置決めされている。
【００８２】
以上の状態から搬送ローラー３６が矢印ＣＣＷ方向に回転すると、排紙ローラー４１Ａも同方向に回転し、トレイ１０６は排紙ローラー４１Ａによって搬送され、トレイ１０６の先端１０６ｅが搬送ローラー３６とピンチローラー３７とで挟持された後は搬送ローラー３６とピンチローラー３７及び排紙ローラー４１Ａによってプリンタ装置奥へと搬送される。
【００８３】
ここで、トレイ１０６は不図示のＬＦモーターを駆動源として搬送ローラー３６によって所定量搬送される。
【００８４】
図１３は、記録ヘッド７による印刷開始状態で、印刷開始時は搬送ローラー３６、排紙ローラー４１Ａが矢印ＣＷ方向へ回転し、記録ヘッド７による印刷を行いながらトレイ１０６は搬送ローラー３６とピンチローラー３７及び排紙ローラー４１Ａとで装置手前へ搬送される。
【００８５】
本実施例では記録ヘッド７による印刷時は、トレイ１０６は搬送ローラー３６とピンチローラー３７とで挟持されており、印刷終了後、トレイ１０６の先端１０６ｅが搬送ローラー３６とピンチローラー３７との挟持から解放された後、トレイ１０６は先端１０６ｅが排紙ローラー４１Ａから外れる位置まで排紙ローラー４１Ａによって搬送される。
【００８６】
ここで、図１４に示すようにトレイ１０６の側面の一部には切欠き１０６ｇが設けられ、切欠き１０６ｇ範囲ではトレイ１０６はコロ１１０と当接せず、コロ１１０の側圧を受けないようになっている。
【００８７】
図においてはＣＤへの印刷終了時を示しており、印刷開始時はトレイ１０６はさらに上流側に位置している。
【００８８】
従って、印刷開始〜印刷終了の間において、すなわちトレイ１０６が搬送ローラー３６とピンチローラー３７とで挟持されている時は、コロ１１０の側圧を受けないようになっている。
【００８９】
ここで、切欠き開始位置１０６ｈはトレイ１０６の変動を考慮してコロ１１０の側圧を徐々に逃がすために斜面としてある。
【００９０】
ＣＤへの印刷終了後は、トレイ１０６を取出し、スライドカバー１０２を手前へ移動させ図３の状態となるが、さらにスライドカバー１０２を手前へ移動させると、図７に示すアーム１０５に設けた突起１０５ｃとフックの凸部１０４ｄとが係合し、フック１０４が矢印ａ方向に回転し、爪部１０４ｂと切欠き部９９ｂとの嵌合が外れ、トレイガイド１０３と下ケース９９との嵌合が外れ、ＣＤユニットはプリンタ本体から離脱される。
【００９１】
尚、上述実施例において、コロ１０８Ａ，１０８Ｂを回転可能に軸支するコロホルダー１０Ａ、１０７Ｂをスライドカバー１０２へ取付けたがトレイガイド１０３へ取付けても良いものである。
【００９２】
また、押圧部材を回転体であるコロとしたが、板バネとしても良いものである。
【００９３】
次に本発明の第１の実施例であるＣＤトレイの構成について図１５（ａ）、（ｂ）、図１６を用いて説明する。
【００９４】
図１５（ａ）、（ｂ）はＣＤを装填するトレイ１０６を示した図で、図１６は図１５（ａ）のＸ２方向からの断面図である。
【００９５】
図１５（ａ）、（ｂ）、図１６においてＣＤはトレイ１０６の一方面１０６Ａに１２ｃｍＣＤを装填し、他方面１０６Ｂに８ｃｍＣＤを装填することができ、一枚のトレイ１０６に大きさの異なる２種類の光記録媒体を装填できるものである。
【００９６】
図に示すように、１２ｃｍＣＤと８ｃｍＣＤは搬送方向における位置をずらして装填することでトレイ１０６を必要以上に大きく、厚くすることもなく最適な大きさとすることができる。
【００９７】
１２ｃｍＣＤへ印刷する際には記録装置へ矢印Ａ方向にＣＤ装填面であるトレイ１０６Ａ面を上にして挿入するが、トレイ１０６の先端部には上述の傾斜面１０６ｅが形成され、トレイシート１１２−１が設けられている。
【００９８】
１０６ｏは１２ｃｍＣＤの有無を検出するのに用いる穴である。
【００９９】
ＣＤを装填したトレイ１０６が記録装置によって搬送されると、記録装置側に設けた不図示のセンサによってＣＤ検出動作を行い、ＣＤが検出されると印刷を行い、未検出の場合は印刷動作は行わずトレイ１０６は排出される。
【０１００】
１０６ｐ１、１０６ｐ２はトレイ１０６位置を検出するためのマークであり、トレイ１０６が記録装置によって搬送されるとキャリッジ５０に設置された不図示のセンサによってマーク１０６ｐ１、１０６ｐ２の位置を検出し、検出結果を元にＣＤの位置を算出して、ＣＤへの正確な印刷を行う。
【０１０１】
また、上述他方面１０６Ｂには８ｃｍＣＤが装填できるが、８ｃｍＣＤへ印刷する際には記録装置へ矢印Ｂ方向にＣＤ装填面であるトレイ１０６Ｂ面を上にして挿入して印刷を行う。
【０１０２】
矢印Ｂ方向のトレイ先端部には矢印Ａ方向の先端部と同様に傾斜面及びトレイシート１１２−２が設置され、先端部においてトレイ１０６Ａ面と１０６Ｂ面は対称形状となっている。
【０１０３】
さらに、トレイ１０６Ｂ面には１０６Ａ面と同様に８ｃｍＣＤ有無検出用穴１０６ｒ及び上述のマーク１０６ｑ１、１０６ｑ２が設置されている。
【０１０４】
トレイ１０６にはＣＤ装填部１０６ｉＡと１０６ｉＢとの重複部分に穴１０６ｓが設けられており、１２ｃｍＣＤ及び８ｃｍＣＤを取り外す際に指を穴１０６ｓに挿入してＣＤを押し出して容易に取り外すことができる。
【０１０５】
このような穴１０６ｓの配置とすることは図９、１０に示す穴１０６ｂ、１０６ｃの配置に比べてＣＤを装填した状態において穴１０６ｓを露出させることがないため、穴にピンチローラー３７が落ち込むことがないため、トレイ１０６を安定して搬送することができる。
【０１０６】
トレイ１０６に１２ｃｍＣＤ又は８ｃｍＣＤのいずれか一方を装填して印刷を行う場合においてＣＤが装填されていない下面側は凹部となるが、トレイ１０６搬送において搬送ローラー３６は繋ぎ目、段差の無いローラーであるため凹部があっても問題なく搬送できるものである。
【０１０７】
（実施例２）
本実施例に示すＣＤトレイの構成は図１７（ａ）に示す一方面１０６Ａに１２ｃｍＣＤを装填し、図１７（ｂ）に示す他方面１０６Ｂに８ｃｍＣＤを装填することができ、一枚のトレイ１０６に大きさの異なる２種類の光記録媒体を装填できるようにしたものであり、図に示すように、１２ｃｍＣＤの装填部１０６ｉＡと８ｃｍＣＤの装填部１０６ｉＢはその中心をトレイ表裏面において対称位置に設置したものである。
【０１０８】
以上のような配置にすることでトレイの搬送方向長さをより短くすることができるものである。
【０１０９】
以下、その動作については第１の実施例述べたものと略同様である。
【０１１０】
（実施例３）
本実施例に示すＣＤトレイの構成は図１８（ａ）に示す一方面１０６Ａに１２ｃｍＣＤを装填し、図１８（ｂ）に示す他方面１０６Ｂにカードタイプ光記録媒体を装填することができ、一枚のトレイ１０６に大きさの異なる２種類の光記録媒体を装填できるようにしたものである。
【０１１１】
尚、本実施例では一方面１０６Ａに１２ｃｍＣＤを装填するようにしたが、８ｃｍＣＤを装填するようにしても良いものである。
【０１１２】
以下、その動作については第１の実施例述べたものと略同様である。
【０１１３】
ここで、上述実施例ではトレイ１０６の一方面１０６Ａ及び他方面１０６Ｂに大きさの異なる２種類の光記録媒体を装填できるようにしたが、３種類以上の光記録媒体を装填できるようにしても良い。
【０１１４】
また、実施例としてインクジェット記録装置を例にあげて説明したが、インクジェット以外の溶融型や昇華型等の熱転写方式の記録装置であっても良い。
【０１１５】
【発明の効果】
以上説明したように、本発明のインクジェット記録装置は、ＣＤトレイ１０６の一方面１０６Ａに１２ｃｍＣＤを装填し、他方面１０６Ｂに８ｃｍＣＤ又はカードタイプ光記録媒体を装填することができ、一枚のトレイ１０６に大きさの異なる２種類の光記録媒体を装填できるものであり、トレイ平面部とＣＤとの間に段差を発生させることがないため、アダプタを必要としない装置とすることができる。従ってアダプタを紛失させることもない。
【０１１６】
また、異なる種類の光記録媒体へ印刷する際にトレイ１０６を裏返しして装置へ挿入するといった簡単な操作で行うことができるため、ＣＤ印刷において手間の掛からない操作性に優れた装置とすることができる。
【図面の簡単な説明】
【図１】本発明のインクジェット記録装置の一実施例の全体構成を示す斜視図である。
【図２】本発明のインクジェット記録装置の一実施例の側面からの構成断面図である。
【図３】本発明に係わる記録装置のプリンタ本体にＣＤユニットを取付けた状態を示す斜視図である。
【図４】本発明に係わる記録装置の記録媒体であるＣＤをセットした状態を示す斜視図である。
【図５】本発明に係わる記録装置のプリンタ本体のＣＤユニットとの嵌合部を示す斜視図である。
【図６】本発明に係わる記録装置のＣＤユニットの側面図である。
【図７】本発明に係わる記録装置のプリンタ本体にＣＤユニットが装着された側面からの断面図である。
【図８】本発明に係わる記録装置のＣＤのセット状態を示す側面図である。
【図９】本発明に係わる記録装置のＣＤのセット状態を示す斜視図である。
【図１０】本発明に係わる記録装置のＣＤのセット状態を示す斜視図である。
【図１１】本発明に係わる記録装置の図１０におけるＸ方向から見た断面図である。
【図１２】本発明に係わる記録装置のＣＤのセット状態を示す側面からの断面図である。
【図１３】本発明に係わる記録装置のＣＤへの印刷開始状態を示す側面からの断面図である。
【図１４】本発明に係わる記録装置のＣＤへの印刷終了時を示す上面図である。
【図１５】（ａ）、（ｂ）  本発明に係わる記録装置のＣＤトレイを示す斜視図である。
【図１６】本発明に係わる記録装置の図１５（ａ）のＸ２方向からの断面図である。
【図１７】（ａ）、（ｂ）  その他の実施例のＣＤトレイを示す斜視図である。
【図１８】（ａ）、（ｂ）  さらにその他の実施例のＣＤトレイを示す斜視図である。
【符号の説明】
１      記録装置
２      給紙部
３      送紙部
４      排紙部
５      キャリッジ部
６      クリーニング部
７      記録ヘッド
８      シャーシー
２０      ベース
２１      圧板
２２      給送回転体
２４      圧板バネ
３０      ピンチローラーホルダー
３４      プラテン
３６      搬送ローラー
３７      ピンチローラー
４０      伝達ローラー
４０Ａ      伝達ローラー
４１      排紙ローラー
４１Ａ      排紙ローラー
４２      拍車
４２Ａ      拍車
４３      拍車ベース
５０      キャリッジ
８１      ガイド軸
９９      下ケース
９９ａ      突起部
９９ａ１    先端部
９９ｂ      切欠き部
１０１        ＣＤユニット
１０２        スライドカバー
１０２ａ      開口部
１０２ｂ、１０２ｃ      ボス
１０２ｄ      溝部
１０２ｅ      軸受部
１０３        トレイガイド
１０３ａ      嵌合溝
１０３ａ１    入口部
１０３ａ２    斜面
１０３ｂ      軸
１０３ｃ      軸
１０３ｄ      案内溝
１０３ｅ      案内溝
１０３ｆ１〜１０３ｆ５  リブ
１０３ｇ      弾性リブ
１０３ｈ      当接部
１０３ｉ      当接面
１０４        フック
１０４ａ      穴
１０４ｂ      爪部
１０４ｃ      薄板形状部
１０４ｄ      凸部
１０４ｅ      傾斜部
１０４ｆ      フランジ部
１０５        アーム
１０５ａ      傾斜部
１０５ｂ      ボス
１０５ｃ      突起
１０６        トレイ
１０６ａ      ＣＤ装填部中心
１０６ｂ、１０６ｃ      指掛け穴
１０６ｄ      指掛け溝
１０６ｅ      先端部
１０６ｆ１、１０６ｆ２  爪部
１０６ｇ      切欠き
１０６ｈ      切欠き開始位置
１０６ｉ、１０６ｉＡ、１０６ｉＢ  ＣＤ装填部
１０６ｊ１、１０６ｊ２  傾斜面
１０６ｋ１〜１０６ｋ５  巾広リブ
１０６ｌ      リブ
１０６ｍ      リブ
１０６ｎ      リブ
１０６ｏ      ＣＤ検出用穴
１０６ｐ１、１０６ｐ２、１０６ｑ１、１０６ｑ２  マーク
１０６ｓ      穴
１０７Ａ、１０７Ｂ      コロホルダー
１０７Ａａ、１０７Ｂａ  軸部
１０８Ａ、１０８Ｂ    コロ
１１０      コロ
１１１      バネ
１１２、１１２−１、１１２−２  トレイシート
【図１】
2004247007.tif 000003
【図２】
2004247007.tif 000004
【図３】
2004247007.tif 000005
【図４】
2004247007.tif 000006
【図５】
2004247007.tif 000007
【図６】
2004247007.tif 000008
【図７】
2004247007.tif 000009
【図８】
2004247007.tif 000010
【図９】
2004247007.tif 000011
【図１０】
2004247007.tif 000012
【図１１】
2004247007.tif 000013
【図１２】
2004247007.tif 000014
【図１３】
2004247007.tif 000015
【図１４】
2004247007.tif 000016
【図１５】
2004247007.tif 000017
【図１６】
2004247007.tif 000018
【図１７】
2004247007.tif 000019
【図１８】
2004247007.tif 000020